(57)【要約】      （修正有）【課題】各々出力される信号に対して間欠動作を行い、消費電力を抑えた水晶発振器を提供する。【解決手段】電源電圧が印加される電源電圧印加端子１１１と、電源電圧印加端子に接続される温度補償型水晶発振回路部１１０と、温度補償型水晶発振回路部及び電源電圧印加端子に接続される第一の緩衝増幅部１２０と、第一の緩衝部に接続され第一の緩衝部から信号が入力される第一の信号出力端子１２１と、第一の緩衝増幅部に接続され、第一の緩衝増幅部が動作又は停止する様に制御できる信号が入力される第一のＥ／Ｄ端子１２２と、温度補償型水晶発振回路部及び第一の緩衝増幅部に接続されている第二の緩衝増幅部１３０と、第二の緩衝増幅部に接続され第二の緩衝増幅部から信号が入力される第二の出力端子１３１と、第二の緩衝増幅部に接続され第二の緩衝増幅部が動作又は停止する様に制御できる信号が入力される第二のＥ／Ｄ端子１３２と、を備えている。【選択図】図１
2012235208.tif 000002
【特許請求の範囲】
【請求項１】
電源電圧が印加される電源電圧印加端子と、
前記電源電圧印加端子に接続され前記電源電圧印加端子から電源電圧が印加される温度補償型水晶発振回路部と、
前記電源電圧印加端子に接続され前記電源電圧印加端子から電源電圧が印加されつつ、前記温度補償型水晶発振回路部に接続され前記温度補償型水晶発振回路部から信号が入力される第一の緩衝増幅部と、
前記第一の緩衝増幅部に接続され、前記第一の緩衝増幅部を動作又は停止するように制御することができる信号が入力される第一のＥ／Ｄ端子と、
前記第一の緩衝増幅部に接続され前記第一の緩衝増幅部が動作している際に前記第一の緩衝増幅部から出力された信号が入力される第一の出力端子と、
前記電源電圧印加端子に接続され前記電源電圧印加端子から電源電圧が印加されつつ、前記温度補償型水晶発振回路部に接続され前記温度補償型水晶発振回路部から信号が入力される第二の緩衝増幅部と、
前記第二の緩衝増幅部を動作又は停止するように制御することができる信号が入力される第二のＥ／Ｄ端子と、
前記第二の緩衝増幅部に接続され前記第二の緩衝増幅部が動作している際に前記第二の緩衝増幅部から出力された信号が入力される第二の出力端子と、
を備えていることを特徴とする水晶発振器。
【請求項２】
前記請求項１に記載の水晶発振器であって、
二つの信号入力端子から入力される信号によって異なる信号が信号出力端子から出力されるＯＲ回路部が設けられ、
一方の信号入力端子が前記第一のＥ／Ｄ端子に接続され前記第一のＥ／Ｄ端子から信号入力され、
他方の信号入力端子が前記第二のＥ／Ｄ端子に接続され前記第二のＥ／Ｄ端子から信号が入力され、
前記他方の信号入力端子が電源電圧印加端子に接続されており、
前記第一のＥ／Ｄ端子から前記第一の緩衝増幅部を停止する信号が入力されつつ前記第二のＥ／Ｄ端子から前記第二の緩衝増幅部を停止する信号が入力された際、
前記温度補償型水晶発振回路部の発振状態が停止する
ことを特徴とする水晶発振器。
【発明の詳細な説明】
【技術分野】
【０００１】
本発明は、移動通信機器に用いられる水晶発振器であって、特に二つ以上の信号を出力する水晶発振器に関する。
【背景技術】
【０００２】
携帯電話等の移動通信機器では、信号を送受信する際に必要な基準信号を発生させる水晶発振器が必要となっている。
また、移動通信機器では、近年の移動通信機器の多機能化により移動通信機器にマイクロコンピュータ（ＣＰＵ）が用いられており、同時に、このＣＰＵに必要なクロック信号を発生させる水晶発振器が必要となっている。
【０００３】
このため、移動通信機器では、近年の移動通信機器の小型化に伴って、例えば、基準信号及びクロック信号の２つの信号を出力することができる水晶発振器が用いられている。
【０００４】
このような水晶発振器３００は、例えば、図３に示すように、温度補償型水晶発振回路部３１０と緩衝増幅部３２０を備えている。
【０００５】
温度補償型水晶発振回路部３１０は、電源電圧印加端子３１１に接続されており、電源電圧印加端子３１１に電源電圧が印加されると発振状態となる。
また、温度補償型水晶発振回路部３１０は、緩衝増幅部３２０及び第二の出力端子３３１に接続され、緩衝増幅部３２０及び第一の出力端子３３１に信号を出力する。
【０００６】
緩衝増幅部３２０は、電源電圧印加端子３１１及び第二の出力端子３３１に接続されており、電源電圧印加端子３１１に電源電圧が印加されると動作し、温度補償型水晶発振回路部３１０から入力された信号を変換し第一の出力端子３２１に信号を出力する。
【０００７】
従って、このような水晶発振器３００は、電源電圧印加端子３１１に電源電圧が印加されると、温度補償型水晶発振回路部３１０が発振状態となりつつ緩衝増幅部３２０が動作し、第一の出力端子３２１及び第二の出力端子３３１からそれぞれの異なった信号が出力される構成となっている（例えば、特許文献１参照）。
【０００８】
また、二つの出力信号を有する水晶発振器の他の一例として、図４に示すように、温度補償型水晶発振回路部３１０と第二の出力端子３３１との間に別の緩衝増幅部４３０を設ける水晶発振器４００がある。
ここで、温度補償型水晶発振回路部３１０と第一の出力端子３２１との間に設けられている緩衝増幅部３２０を第一の緩衝増幅部とし、温度補償型水晶発振回路部３１０と第二の出力端子３３１との間に設けられている別の緩衝増幅部４３０を第二の緩衝増幅部とする。
【０００９】
温度補償型水晶発振回路部３１０は、前述したように、電源電圧印加端子３１１に接続されており、電源電圧印加端子３１１に電源電圧印加されると動作し発振状態となる。このとき、温度補償型水晶発振回路部３１０から第一の緩衝増幅部及び後述する第二の緩衝増幅部に信号を出力する構成となっている。
【００１０】
第一の緩衝増幅部は、前述したように、電源電圧印加端子３１１に接続されており、電源電圧印加端子３１１に電源電圧が印加されると動作する構成となっている。
また、第一の緩衝増幅部は、電源電圧印加端子３１１に電源電圧が印加されているとき、温度補償型水晶発振回路部３１０から信号が入力されると第一の出力端子３２１に信号を出力する構成となっている。
【００１１】
第二の緩衝増幅部は、図４に示すように、第一の緩衝増幅部と接続されつつ、温度補償型水晶発振回路部３１０と第二の出力端子３３１との間に設けられている。
また、第二の緩衝増幅部は、電源電圧印加端子３１１に電源電圧が印加されると、第一の緩衝増幅部から第二の緩衝増幅部の電源電圧に相当する電源電圧が印加され動作する構成となっている。従って、第二の緩衝増幅部は、電源電圧印加端子３１１に電源電圧が印加されると動作する構成となっている。
また、第二の緩衝増幅部は、電源電圧印加端子３１１に電源電圧印加されているとき、温度補償型水晶発振回路部３１０から信号が入力されると第二の出力端子３３１に信号を出力する構成となっている。
【００１２】
従って、このような水晶発振器４００は、図４に示すように、温度補償型水晶発振回路部３１０とそれぞれの信号出力端子との間にそれぞれ緩衝増幅部が設けられている。
また、このような水晶発振器４００は、電源電圧印加端子３１１に電源電圧が印加されると、温度補償型水晶発振回路部３１０及び全ての緩衝増幅部が動作する回路構成となっている。
【００１３】
携帯電話等の移動通信機器に用いられる水晶発振器は、一般的に、消費電力を抑えるために、出力される信号が不要な場合にそれぞれの出力端子から信号が出力されないように間欠動作が行われている。
上述した二つの水晶発振器では、電源電圧印加端子３１１に電源電圧を印加しない状態にすることで水晶発振回路部及び緩衝増幅部を停止させて出力端子から信号が出力されないようにしている。従って、上述した二つの水晶発振器では、電源電圧印加端子３１１に電源電圧を印加する状態又は印加しない状態とすることで間欠動作を行っている。
【先行技術文献】
【特許文献】
【００１４】
特開２００４−００７０３６号公報
【発明の概要】
【発明が解決しようとする課題】
【００１５】
しかしながら、従来の水晶発振器は、電源電圧印加端子に電源電圧を印加する状態又は印加しない状態に切り替えることで間欠動作を行っているので、出力される信号が二つ以上ある場合、出力されるそれぞれの信号に対して間欠動作を行うことができない。
このため、従来の水晶発振器は、出力される信号の一つが必要な場合には電源電圧を印加し温度補償型水晶発振回路部を発振させつつ全ての緩衝増幅部を動作させ続けなければならない構成となっており、消費電力を多く費やしてしまう。
【００１６】
本発明は、それぞれの出力される信号に対して間欠動作を行うことができ、消費電力を抑えた水晶発振器を提供することを目的とする。
【課題を解決するための手段】
【００１７】
前記課題を解決するため、電源電圧が印加される電源電圧印加端子と、前記電源電圧印加端子に接続され前記電源電圧印加端子から電源電圧が印加される温度補償型水晶発振回路部と、前記電源電圧印加端子に接続され前記電源電圧印加端子から電源電圧が印加されつつ、
前記温度補償型水晶発振回路部に接続され前記温度補償型水晶発振回路部から信号が入力される第一の緩衝増幅部と、前記第一の緩衝増幅部に接続され、前記第一の緩衝増幅部を動作又は停止するように制御することができる信号が入力される第一のＥ／Ｄ端子と、
前記第一の緩衝増幅部に接続され前記第一の緩衝増幅部が動作している際に前記第一の緩衝増幅部から出力された信号が入力される第一の出力端子と、前記電源電圧印加端子に接続され前記電源電圧印加端子から電源電圧が印加されつつ、前記温度補償型水晶発振回路部に接続され前記温度補償型水晶発振回路部から信号が入力される第二の緩衝増幅部と、
前記第二の緩衝増幅部を動作又は停止するように制御することができる信号が入力される第二のＥ／Ｄ端子と、前記第二の緩衝増幅部に接続され前記第二の緩衝増幅部が動作している際に前記第二の緩衝増幅部から出力された信号が入力される第二の出力端子と、
を備えていることを特徴とする。
【００１８】
また、前記課題を解決するため、二つの信号入力端子から入力される信号によって異なる信号が信号出力端子から出力されるＯＲ回路部が設けられ、一方の信号入力端子が前記第一のＥ／Ｄ端子に接続され前記第一のＥ／Ｄ端子から信号入力され、他方の信号入力端子が前記第二のＥ／Ｄ端子に接続され前記第二のＥ／Ｄ端子から信号が入力され、
前記他方の信号入力端子が電源電圧印加端子に接続されており、前記第一のＥ／Ｄ端子から前記第一の緩衝増幅部を停止する信号が入力されつつ前記第二のＥ／Ｄ端子から前記第二の緩衝増幅部を停止する信号が入力された際、前記温度補償型水晶発振回路部の発振状態が停止することを特徴とする。
【発明の効果】
【００１９】
このような水晶発振器によれば、電源電圧印加端子に電源電圧が印加されると温度補償型水晶発振回路部が発振状態となりつつ第一の緩衝増幅部及び第二の緩衝増幅部に電源電圧が印加された状態となり、第一のＥ／Ｄ端子に入力される信号によって第一の緩衝増幅部を停止することができ、
第二のＥ／Ｄ端子から入力される信号によって第二の緩衝増幅部を停止することができる回路構成となっているので、第一のＥ／Ｄ端子から第一の出力端子への出力を制御することができ、かつ、第二のＥ／Ｄ端子から第二の出力端子への出力を制御することができる。
このため、このような水晶発振器によれば、出力信号を二つ有している場合、それぞれの出力信号に対して間欠動作を行うことができ、従来の水晶発振器のように全ての緩衝増幅部を動作させる必要がないので、従来の水晶発振器と比較して消費電力を抑えることができる。
【００２０】
また、このような水晶発振器によれば、第一のＥ／Ｄ端子から第一の緩衝増幅部を停止する信号が入力されつつ第二のＥ／Ｄ端子から第二の緩衝増幅部を停止する信号が入力された際、温度補償型水晶発振回路部の発振状態が停止する構成となっているので、第一の出力端子からの信号出力及び第二の出力端子からの信号出力が不要の場合、
温度補償型水晶発振回路部の発振状態を停止させることができる。
従って、このような水晶発振器によれば、それぞれの出力信号に対して間欠動作を行うことができ、全ての出力信号が不要な場合に、温度補償型水晶発振回路部の発振状態を停止させることができるので、さらに消費電力を抑えることができる。
【図面の簡単な説明】
【００２１】
【図１】本発明の第一の実施形態に係る水晶発振器の一例を示したブロック図である。
【図２】本発明の第二の実施形態に係る水晶発振器の一例を示したブロック図である。
【図３】従来の水晶発振器の一例を示したブロック図である。
【図４】従来の水晶発振器の他の一例を示したブロック図である。
【発明を実施するための形態】
【００２２】
次に、本発明を実施するための最良の形態について説明する。なお、各図面において各構成要素の状態を分かりやすくするために誇張して図示している。
【００２３】
（第一の実施形態）
本発明の第一の実施形態に係る水晶発振器は、複数の信号が出力される構成となっており、例えば、二つの信号が出力される構成となっている。
また、本発明の第一の実施形態に係る水晶発振器１００は、例えば、図１に示すように、電源電圧印加端子１１１と温度補償型水晶発振回路部１１０と第一の緩衝増幅部１２０と第一の出力端子１２１と第一のＥ／Ｄ端子１２２と第二の緩衝増幅部１３０と第二の出力端子１３１と第二のＥ／Ｄ端子１３２とを備えている。
【００２４】
電源電圧印加端子１１１は、外部の電源供給回路部（図示せず）から電源電圧が印加される端子である。
また、電源電圧印加端子１１１は、図１に示すように、後述する温度補償型水晶発振回路部１１０及び後述する第一の緩衝増幅部１２０に接続されている。
【００２５】
温度補償型水晶発振回路部１１０は、前述したように電源電圧印加端子１１１に接続されており、電源電圧印加端子１１１に電源電圧が印加されると動作し発振状態となる。
また、温度補償型水晶発振回路部１１０は、温度補償型水晶発振回路部１１０が発振状態の際に、温度補償型水晶発振回路部１１０の信号出力端子から信号が出力される構成となっている。
【００２６】
第一の緩衝増幅部１２０は、電源電圧印加端子１１１に接続され電源電圧印加端子１１１に電源電圧が印加された際に、電源電圧印加端子１１１から電源電圧が印加される。
また、第一の緩衝増幅部１２０は、温度補償型水晶発振回路部１１０の信号出力端子に接続され前記温度補償型水晶発振回路部１１０の信号出力端子から出力された信号が入力される。
【００２７】
第一のＥ／Ｄ端子１２２は、第一の緩衝増幅部１２０に接続されている。
また、第一のＥ／Ｄ端子は、外部の第一の信号供給回路部（図示せず）に接続されており、信号、例えば、電圧信号が入力される端子である。
また、第一のＥ／Ｄ端子１２２には、電源電圧印加端子１１１に電源電圧が印加されている状態のときに、第一の緩衝増幅部１２０を動作又は停止するように制御することができる信号が入力される。
【００２８】
第一の出力端子１２１は、第一の緩衝増幅部１２０に接続されており、第一の緩衝増幅部１２０が動作しているとき、第一の緩衝増幅部１２０から出力している信号が入力される端子である。言い換えると、第一の出力端子１２１は、第一の緩衝増幅部１２０が動作しているとき、緩衝増幅部１２０からの信号を出力する端子である。
従って、第一の出力端子１２１には、第一のＥ／Ｄ端子から所定の信号が入力され第一の緩衝増幅部１２０が停止しているとき、第一の緩衝増幅部１２０から信号が出力されない。
【００２９】
第二の緩衝増幅部１３０は、例えば、電源電圧印加端子１１１に接続されている第一の緩衝増幅部１２０に接続されている。
また、第二の緩衝増幅部１３０は、電源電圧印加端子１１１に電源電圧が印加された際、第一の緩衝増幅部１２０の内部配線（図示せず）によって第二の緩衝増幅部１３０に電源電圧が印加される構成となっている。
なお、第一の緩衝増幅部１２０が停止されている状態であっても、電源電圧印加端子１１１に電源電圧が印加されると第二の緩衝増幅部１３０に電源電圧が印加される構成となっている。
つまり、第二の緩衝増幅部１３０は、電源電圧印加端子１１１に接続され電源電圧印加端子１１１から電源電圧が印加される構成となっているとみなすことができる。
【００３０】
第二の緩衝増幅部１３０は、温度補償型水晶発振回路部１１０の信号出力端子に接続され前記温度補償型水晶発振回路部１１０の信号出力端子から出力された信号が入力される。
【００３１】
第二のＥ／Ｄ端子１３２は、第二の緩衝増幅部１３０に接続されている。
また、第二のＥ／Ｄ端子１３２は、外部の第二の信号供給回路部（図示せず）に接続されており、信号、例えば、電圧信号が入力される端子である。
また、第二のＥ／Ｄ端子１３２には、電源電圧印加端子１１１に電源電圧が印加されている状態のときに、第二の緩衝増幅部２３０を動作又は停止するように制御することができる信号が入力される。
【００３２】
第二の出力端子１３１は、第二の緩衝増幅部１３０に接続されており、第二の緩衝増幅部１３０が動作しているとき、第二の緩衝増幅部１３０から出力している信号が入力される端子である。言い換えると、第二の出力端子１３１は、第二の緩衝増幅部１３０が動作しているとき、第二の緩衝増幅部１３０からの信号を出力する端子である。
従って、第二の出力端子１３１には、第二のＥ／Ｄ端子から所定の信号が入力され第二の緩衝増幅部１３０が停止しているとき、第二の緩衝増幅部１３０から信号が出力されない。
【００３３】
従って、本発明の第一の実施形態に係る水晶発振器１００は、電源電圧印加端子１１１に電源電圧が印加されると温度補償型水晶発振回路部１１０が発振状態となり、第一の緩衝増幅部１２０及び第二の緩衝増幅部１３０に電源電圧が印加される構成となっている。
【００３４】
第一のＥ／Ｄ端子１２２から第一の緩衝増幅部１１０を停止させる所定の信号が入力されつつ、第二のＥ／Ｄ端子１２２から第二の緩衝増幅部１１０を停止させる所定の信号が入力されている場合、本発明の第一の実施形態に係る水晶発振器１００は、電源電圧印加端子１１１に電源電圧が印加されていると温度補償型水晶発振回路部１１０のみが動作し、
第一の緩衝増幅部１２０及び第二の緩衝増幅部１３０が停止し、第一の出力端子１２１及び第二の出力端子１３１から信号が出力されない状態となる。
【００３５】
また、第一のＥ／Ｄ端子１２２から第一の緩衝増幅部１１０を停止させる所定の信号が入力されつつ、第二のＥ／Ｄ端子１２２から第二の緩衝増幅部１１０を動作させる所定の他の信号が入力されている場合、本発明の第一の実施形態に係る水晶発振器１００は、電源電圧印加端子１１１に電源電圧が印加されていると温度補償型水晶発振回路部１１０及び第二の緩衝増幅部１３０が動作し、
第一の緩衝増幅部１１０が停止し、第一の出力端子１２１から信号が出力されず第二の出力端子１３１からのみ信号が出力される状態となる。このとき、第二の緩衝増幅部１３０には、停止している第一の緩衝増幅部１２０の内部配線を介して電源電圧印加端子１１１から電源電圧が印加されている。
【００３６】
また、第一のＥ／Ｄ端子１２２から第一の緩衝増幅部１２０を動作させる所定の他の信号が入力されつつ、第二のＥ／Ｄ端子１３２から第二の緩衝増幅部１３０を停止させる所定の信号が入力されている場合、本発明の第一の実施形態に係る水晶発振器１００は、電源電圧印加端子１１１に電源電圧が印加されていると温度補償型水晶発振回路部１１０及び第一の緩衝増幅部１２０が動作し、
第二の緩衝増幅部１３０が停止し第一の出力端子１２１から信号が出力され第二の出力端子１３１から信号が出力されない状態となる。
【００３７】
また、第一のＥ／Ｄ端子１２２から第一の緩衝増幅部１２０を動作させる所定の他の信号が入力されつつ、第二のＥ／Ｄ端子１３２から第二の緩衝増幅部１３０を動作させる所定の他の信号が入力されている場合、本発明の第一の実施形態に係る水晶発振器１００は、電源電圧印加端子１１１に電源電圧が印加されていると温度補償型水晶発振回路部１１０と第一の緩衝増幅部１２０と第二の緩衝増幅部１３０が動作し、
第一の出力端子１２１及び第二の出力端子１３１から信号が出力される状態となる。
【００３８】
従って、本発明の第一の実施形態に係る水晶発振器１００は、第一のＥ／Ｄ端子１２２に入力する信号によって、第一の出力端子１２１から出力される信号を制御することができ、第一の出力端子１２１から出力される信号に対し間欠動作することができる構成となっている。
また、本発明の第一の実施形態に係る水晶発振器１００は、第二のＥ／Ｄ端子１３２に入力する信号によって、第二の出力端子１３１から出力される信号を制御することができ、第二の出力端子１３１から出力される信号に対して間欠動作することができる構成となっている。
【００３９】
また、本発明の第一の実施形態に係る水晶発振器１００は、第一のＥ／Ｄ端子１２２から入力される信号によって第一の出力端子１２１から出力される信号に対して間欠動作を行い、第二のＥ／Ｄ端子１３２から入力される信号によって第二の出力端子１３１から出力される信号に対して間欠動作をすることができる構成となっているので、第一の出力端子１２１から出力される信号と第二の出力端子１３１から出力される信号に対し、
それぞれ、独立して間欠動作をすることができる。
【００４０】
このような本発明の第一の実施形態に係る水晶発振器１００によれば、電源電圧印加端子１１１に電源電圧が印加されると温度補償型水晶発振回路部１１０が発振状態となりつつ第一の緩衝増幅部１２０及び第二の緩衝増幅部１３０に電源電圧が印加された状態となり、第一のＥ／Ｄ端子１２２から入力される信号によって第一の緩衝増幅部１２０を停止することができ、
第二のＥ／Ｄ端子１３２から入力される信号によって第二の緩衝増幅部１３０を停止することができる回路構成となっているので、第一のＥ／Ｄ端子１２２に入力する信号によって第一の出力端子１２１への出力を制御することができ、かつ、第二のＥ／Ｄ端子１３２に入力する信号によって第二の出力端子１３１への出力を制御することができる。
このため、このような本発明の第一の実施形態に係る水晶発振器１００によれば、出力信号を二つ有している場合、それぞれの出力信号に対して間欠動作を行うことができ、従来の水晶発振器のように全ての緩衝増幅部１２０，１３０を動作させる必要がないので、従来の水晶発振器と比較して消費電力を抑えることができる。
【００４１】
（第二の実施形態）
本発明の第二の実施形態に係る水晶発振器２００は、図２に示すように、第一のＥ／Ｄ端子１２２及び第二のＥ／Ｄ端子１３２に入力された信号がそのまま入力され電源電圧印加端子１１１に信号を出力する構成となっているＯＲ回路部が設けられている点で第一の実施形態と異なる。
【００４２】
ＯＲ回路部２４０は、信号入力端子（図示せず）と信号出力端子（図示せず）とを備えている。
また、ＯＲ回路部２４０は、ＯＲ回路部２４０の信号出力端子から出力される信号がＯＲ回路部２４０の信号入力端子から入力される信号によって選択される構成となっている。
【００４３】
ＯＲ回路部２４０の信号入力端子は、２つ設けられている。
一方の信号入力端子は、図２に示すように、第一のＥ／Ｄ端子１２２に接続されており、第一のＥ／Ｄ端子１２２に信号が入力されると、そのまま第一のＥ／Ｄ端子１２２に入力された信号が入力される。
他方の信号入力端子は、図２に示すように、第二のＥ／Ｄ端子１３２に接続されており、第二のＥ／Ｄ端子１３２に信号が入力されると、そのまま第二のＥ／Ｄ端子１３２に入力された信号が入力される。
【００４４】
ＯＲ回路部２４０の信号出力端子は、図２に示すように、電源電圧印加端子１１１に接続されている。
また、ＯＲ回路部２４０の信号出力端子からは、第一のＥ／Ｄ端子１２２に入力される信号と第二のＥ／Ｄ端子１３２に入力される信号の組み合わせによって異なる信号が出力される。
【００４５】
第一の緩衝増幅部１２０を停止させるように所定の信号が第一のＥ／Ｄ端子１２２に入力されつつ、第二の緩衝増幅部１３０を停止させるように所定の信号が第二のＥ／Ｄ端子１３２に入力された場合、ＯＲ回路部１２０は、電源電圧印加端子１１１に電源電圧が印加されないよう状態となり、温度補償型水晶発振器１１０に電源電圧が印加されず発振が停止する構成となっている。
【００４６】
また、第一の緩衝増幅部１２０を停止させるように所定の信号が第一のＥ／Ｄ端子１２２に入力されつつ、第二の緩衝増幅部１３０を動作させるように所定の他の信号が第二のＥ／Ｄ端子１３２に入力された場合、ＯＲ回路部１２０は、電源電圧印加端子１１１に電源電圧が印加されている状態となり、温度補償型水晶発振器１１０が発振状態となりつつ第一の緩衝増幅部１２０が停止し、第二の緩衝増幅部１３０が動作する構成となっている。
【００４７】
また、第一の緩衝増幅部１２０を動作させるように所定の他の信号が第一のＥ／Ｄ端子１２２に入力されつつ、第二の緩衝増幅部１３０を停止させるように所定の信号が第二のＥ／Ｄ端子１３２に入力された場合、ＯＲ回路部１２０は、電源電圧印加端子１１１に電源電圧が印加されている状態となり、温度補償型水晶発振器１１０が発振状態となりつつ第一の緩衝増幅部１２０が動作し、第二の緩衝増幅部１３０が停止する構成となっている。
【００４８】
また、第一の緩衝増幅部１２０を動作させるように所定の他の信号が第一のＥ／Ｄ端子１２２に入力されつつ、第二の緩衝増幅部１３０を停止させるように所定の他の信号が第二のＥ／Ｄ端子１３２に入力された場合、ＯＲ回路部１２０は、電源電圧印加端子１１１に電源電圧が印加されている状態となり、温度補償型水晶発振器１１０が発振状態となりつつ、第一の緩衝増幅部１２０及び第二の緩衝増幅部１３０が動作する構成となっている。
【００４９】
従って、ＯＲ回路部２４０は、第一のＥ／Ｄ端子１２２から第一の緩衝増幅部１２０を停止させる信号が入力され、かつ、第二のＥ／Ｄ端子１３２から第二の緩衝増幅部１３２を停止させる信号が入力されると、電源電圧印加端子１１１に電源電圧が印加されていない状態にすることができ、温度補償型水晶発振回路部１１０の発振状態を停止することができる構成となっている。
【００５０】
このような本発明の第二の実施形態に係る水晶発振器２００は、電源電圧印加端子１１１に電源電圧が印加されると温度補償型水晶発振回路部１１０が発振状態となりつつ第一の緩衝増幅部１２０及び第二の緩衝増幅部１３０に電源電圧が印加された状態となり、第一のＥ／Ｄ端子１２２から入力される信号によって第一の緩衝増幅部１２０を停止することができ、
第二のＥ／Ｄ端子１３２から入力される信号によって第二の緩衝増幅部１３０を停止することができる回路構成となっているので、第一の実施形態と同様の効果を奏する。
【００５１】
また、このような本発明の第二の実施形態に係る水晶発振器２００によれば、第一のＥ／Ｄ端子１２２から第一の緩衝増幅部１２０を停止する信号が入力されつつ第二のＥ／Ｄ端子１３２から第二の緩衝増幅部１３０を停止する信号が入力された際、温度補償型水晶発振回路部２００の発振状態が停止する構成となっているので、第一の出力端子１２１からの信号出力及び第二の出力端子１３１からの信号出力が不要の場合、
温度補償型水晶発振回路部１１０の発振状態を停止させることができる。
従って、このような本発明の第二の実施形態に係る水晶発振器２００によれば、それぞれの出力信号に対して間欠動作を行うことができ、全ての出力信号が不要な場合に、温度補償型水晶発振回路部１１０の発振状態を停止させることができるので、さらに消費電力を抑えることができる。
【符号の説明】
【００５２】
１００，２００，３００，４００  水晶発振器
１１０，３１０  温度補償型水晶発振回路部
１１１，３１１  電源電圧印加端子
１２０  第一の緩衝増幅部
１２１，３２１  第一の信号出力端子
１２２  第一のＥ／Ｄ端子
１３０  第二の緩衝増幅部
１３１，３３１  第一の信号出力端子
１３２  第二のＥ／Ｄ端子
２４０  ＯＲ回路部
３２０，４３０  緩衝増幅部
【図１】
2012235208.tif 000003
【図２】
2012235208.tif 000004
【図３】
2012235208.tif 000005
【図４】
2012235208.tif 000006